(57)【要約】【課題】ネットワーク上の情報を対象とする場合であれ、当該情報にかかる位置をより簡単に地図上に提供表示することのできる情報提供システム、及び、情報提供方法を提供する。【解決手段】情報提供システムは、表示装置２３に地図を表示するナビゲーション装置２２を有するとともに、公衆ネットワーク４０を介して当該公衆ネットワーク４０上の公開情報を参照可能に構成されている。情報提供システムは、ホームページ３０のネットワーク上の場所を示すＵＲＬに基づき当該ホームページ３０を参照し、該参照したホームページ３０から同ホームページ３０に対応した位置情報を取得するとともに、この取得した位置情報をナビゲーション装置２２の表示用の座標系である表示情報に変換するＰＯＩ情報作成部１６を備え、ナビゲーション装置２２は、表示装置２３に表示する地図上に、ＰＯＩ情報作成部１６から取得される表示情報の示す位置を提供表示する。【選択図】図１
2012220306.tif 000002
【特許請求の範囲】
【請求項１】
画面に地図を表示するナビゲーション装置を有するとともに、ネットワークを介して当該ネットワーク上の公開情報を参照可能に構成される情報提供システムであって、
公開情報のネットワーク上の場所を示す識別子に基づき当該公開情報を参照し、該参照した公開情報から同公開情報に対応した位置情報を取得するとともに、この取得した位置情報を前記ナビゲーション装置の表示用の座標系である表示情報に変換する変換装置を備え、
前記ナビゲーション装置は、前記画面に表示する地図上に、前記変換装置から取得される表示情報の示す位置を提供表示する
ことを特徴とする情報提供システム。
【請求項２】
前記識別子は、ブックマークとして登録されている情報に含まれており、
前記変換装置は、前記公開情報を参照するための識別子を前記ブックマークから取得する
請求項１に記載の情報提供システム。
【請求項３】
前記ブックマークは、前記ネットワークに接続されたサーバに保持されたものであり、
前記変換装置は、前記サーバに保持されているブックマークを前記公開情報の参照に用いる
請求項２に記載の情報提供システム。
【請求項４】
前記ブックマークは、前記ナビゲーション装置のユーザが前記サーバに予め登録したブックマークである
請求項３に記載の情報提供システム。
【請求項５】
前記サーバには、複数のブックマークが保持されており、
前記ナビゲーション装置は、前記複数のブックマークの少なくとも一部を前記サーバから取得して前記画面に表示し、前記変換装置は、その表示されたブックマークのうちからユーザによって選択されたブックマークに基づいて該当する公開情報を参照する
請求項３又は４に記載の情報提供システム。
【請求項６】
前記識別子は、ＵＲＬ（ユーアールエル）により示されるものである
請求項１〜５のいずれか一項に記載の情報提供システム。
【請求項７】
前記ネットワークは、インターネットを含んで構成され、
前記識別子は、ユーザがインターネット上にて選択した公開情報のネットワーク上の場所を示すものである
請求項１〜６のいずれか一項に記載の情報提供システム。
【請求項８】
前記ナビゲーション装置は、当該ナビゲーション装置に各種サービスを提供するセンタと無線通信可能に接続されており、前記変換装置は前記センタに設けられている
請求項１〜７のいずれか一項に記載の情報提供システム。
【請求項９】
前記ナビゲーション装置は、前記変換装置から前記位置情報とともに前記公開情報に含まれる情報の少なくとも一部の情報を取得し、前記画面に表示する提供表示に併せ、該取得した公開情報の一部の情報を表示する
請求項１〜８のいずれか一項に記載の情報提供システム。
【請求項１０】
画面に地図を表示するナビゲーション装置と、ネットワークを介して当該ネットワーク上の公開情報を参照する機能とを用いて情報の提供を行う情報提供方法であって、
公開情報のネットワーク上の場所を示す識別子に基づき当該公開情報を参照し、該参照した公開情報から同公開情報に対応した位置情報を取得するとともに、この取得した位置情報を前記ナビゲーション装置の表示用の座標系である表示情報に変換する工程と、
前記ナビゲーション装置の画面に表示する地図上に、前記変換した表示情報の示す位置を提供表示する工程と、を備える
ことを特徴とする情報提供方法。
【請求項１１】
前記識別子を、ブックマークとして登録されている情報に持たせ、
前記表示情報に変換する工程では、前記公開情報を参照するための識別子を前記ブックマークから取得する
請求項１０に記載の情報提供方法。
【請求項１２】
前記ブックマークを、前記ネットワークに接続されたサーバに保持させ、
前記表示情報に変換する工程では、前記サーバに保持されたブックマークを前記公開情報の参照に用いる
請求項１１に記載の情報提供方法。
【請求項１３】
前記ブックマークとして、前記ナビゲーション装置のユーザが前記サーバに予め登録したブックマークを用いる
請求項１２に記載の情報提供方法。
【請求項１４】
前記サーバに、複数のブックマークを保持させ、
前記ナビゲーション装置には、前記複数のブックマークの少なくとも一部を前記サーバから取得して前記画面に表示させ、前記表示情報に変換する工程では、その表示されたブックマークのうちからユーザによって選択されたブックマークに基づいて該当する公開情報を参照する
請求項１２又は１３に記載の情報提供方法。
【発明の詳細な説明】
【技術分野】
【０００１】
本発明は、移動体、特に車両に地図情報を提供表示する情報提供システム、及び、情報提供方法に関する。
【背景技術】
【０００２】
近年、車両には、地図情報を提供表示するシステムとして、ナビゲーション装置が搭載されていることが多い。ナビゲーション装置は、搭載されている地図情報と、設定された目的地と、検出した当該装置の現在位置、すなわち当該車両の現在位置とに基づいて、該車両の現在位置から目的地までの移動を支援する情報を同車両の運転者などに提供する周知の装置である。そして、こうしたナビゲーション装置の支援を得るためには、同ナビゲーション装置に目的地を設定しなければならないこともよく知られている。
【０００３】
ここで、この目的地は、よく知っている場所であれば、地図から探すことが可能であったり、有名な場所であれば、予め用意されているリストから選択可能であったりすることから、このような場合には、ナビゲーション装置の操作による目的地の設定も比較的容易に行うことができる。しかしながら、初めての場所など、地図から探すことが難しい場所や、個人宅など、通常はリストに用意されていない場所となると、それらを目的地として設定することは容易ではない。まして、住所や名称を間違えて覚えている場所や、記憶が定かではないような場所となると、もはやナビゲーション装置の操作により目的地に設定することは不可能に近い。
【０００４】
そこで、例えばインターネット上で見つけた場所をナビゲーション装置の目的地として簡単に設定することのできる技術の一例が、特許文献１に記載されている。この特許文献１に記載のシステムは、ナビゲーション装置と、該ナビゲーション装置と通信可能なウェブサーバと、このウェブサーバにインターネットを介して接続されてウェブサーバから得られた電子文書を表示するブラウザを含む演算装置とを備えている。そして、同システムでは、ブラウザにて参照した電子文書に含まれている目的地オブジェクトがユーザにより起動されると、演算装置が、同目的地オブジェクトに含まれる場所情報に基づいて、その場所をナビゲーション装置に目的地として追加登録する。
【先行技術文献】
【特許文献】
【０００５】
【特許文献１】特表２０１０−５０２９９３号公報
【発明の概要】
【発明が解決しようとする課題】
【０００６】
このように、特許文献１に記載のシステムによれば、ブラウザで目的地オブジェクトを選択し、これを起動させることで、ナビゲーション装置に当該目的地オブジェクトにかかる位置を目的地として設定することができるようになる。しかしながら、目的地オブジェクトを利用できるのは、ホームページ等の電子文書に目的地オブジェクトが含まれている場合か、もしくは参照中の電子文書に対応した目的地オブジェクトを作成する機能をブラウザが有している場合に限られる。このため、たとえ上記システムであっても、目的地オブジェクトに対応していないホームページやブラウザなどからは、従来と同様、ナビゲーション装置に目的地を設定することはできない。また、たとえ上述の操作に基づいてナビゲーション装置に目的地を設定することができたとしても、それら目的地が多岐に渡る場合には、操作そのものの煩雑さも無視できないものとなっている。
【０００７】
本発明は、このような実情に鑑みてなされたものであり、その目的は、ネットワーク上の情報を対象とする場合であれ、当該情報にかかる位置をより簡単に地図上に提供表示することのできる情報提供システム、及び、情報提供方法を提供することにある。
【課題を解決するための手段】
【０００８】
以下、上記課題を解決するための手段及びその作用効果を記載する。
【０００９】
上記課題を解決するために、請求項１に記載の発明は、画面に地図を表示するナビゲーション装置を有するとともに、ネットワークを介して当該ネットワーク上の公開情報を参照可能に構成される情報提供システムであって、公開情報のネットワーク上の場所を示す識別子に基づき当該公開情報を参照し、該参照した公開情報から同公開情報に対応した位置情報を取得するとともに、この取得した位置情報を前記ナビゲーション装置の表示用の座標系である表示情報に変換する変換装置を備え、前記ナビゲーション装置は、前記画面に表示する地図上に、前記変換装置から取得される表示情報の示す位置を提供表示することを要旨とする。
【００１０】
上記課題を解決するために、請求項１０に記載の発明は、画面に地図を表示するナビゲーション装置と、ネットワークを介して当該ネットワーク上の公開情報を参照する機能とを用いて情報の提供を行う情報提供方法であって、公開情報のネットワーク上の場所を示す識別子に基づき当該公開情報を参照し、該参照した公開情報から同公開情報に対応した位置情報を取得するとともに、この取得した位置情報を前記ナビゲーション装置の表示用の座標系である表示情報に変換する工程と、前記ナビゲーション装置の画面に表示する地図上に、前記変換した表示情報の示す位置を提供表示する工程と、を備えることを要旨とする。
【００１１】
このような構成もしくは方法によれば、ナビゲーション装置の画面に、ナビゲーション装置の座標系に変換されたネットワーク上の公開情報に対応する位置が提供表示されるようになる。このとき、変換装置が識別子により特定される公開情報を参照して、当該公開情報に対応する位置情報を取得するとともに、この取得した位置情報をナビゲーション装置の画面に表示可能な表示情報に変換するため、ネットワーク上に公開されている公開情報や識別子などをそのまま利用可能である。これにより、ネットワーク上の公開情報の位置を対象とする場合であれ、当該公開情報の位置をナビゲーション装置に表示させることが簡単にできる。また、このようにしてナビゲーション装置の画面に提供表示された位置を、同ナビゲーション装置の目的地の設定などに用いるようにすれば、施設名や住所などの入力操作をしなくとも目的地設定ができることとなり、目的地設定も容易にもなる。
【００１２】
請求項２に記載の発明は、請求項１に記載の情報提供システムにおいて、前記識別子は、ブックマークとして登録されている情報に含まれており、前記変換装置は、前記公開情報を参照するための識別子を前記ブックマークから取得することを要旨とする。
【００１３】
請求項１１に記載の発明は、請求項１０に記載の情報提供方法において、前記識別子を、ブックマークとして登録されている情報に持たせ、前記表示情報に変換する工程では、前記公開情報を参照するための識別子を前記ブックマークから取得することを要旨とする。
【００１４】
通常、ブックマークには識別子とともに文字情報などが含まれている。このため、このような構成もしくは方法によれば、当該識別子をブックマークに含まれる文字情報などにより管理することができるようになる。そして、文字情報はユーザによる識別や検索を可能にすることから、ブックマークの利用により、識別子に基づくナビゲーション装置への提供表示の利便性がより高められるようになる。
【００１５】
請求項３に記載の発明は、請求項２に記載の情報提供システムにおいて、前記ブックマークは、前記ネットワークに接続されたサーバに保持されたものであり、前記変換装置は、前記サーバに保持されているブックマークを前記公開情報の参照に用いることを要旨とする。
【００１６】
請求項１２に記載の発明は、請求項１１に記載の情報提供方法において、前記ブックマークを、前記ネットワークに接続されたサーバに保持させ、前記表示情報に変換する工程では、前記サーバに保持されたブックマークを前記公開情報の参照に用いることを要旨とする。
【００１７】
このような構成もしくは方法によれば、ブックマークがネットワーク上のサーバに保持されていることから、ブックマークの管理に、変換装置やナビゲーション装置の動作状態などは影響しない。すなわち、ブックマークの管理の自由度が高められ、ブックマークを利用する情報提供システムとしての利便性が向上される。具体的には、ユーザは自由に、サーバに対するブックマークの登録、削除、もしくは修正などの管理を行うことができるため、サーバに保持させたブックマークの利便性を向上させることができるとともに、そのように管理されたブックマークを用いる情報提供システムとしての利便性も向上するようになる。
【００１８】
請求項４に記載の発明は、請求項３に記載の情報提供システムにおいて、前記ブックマークは、前記ナビゲーション装置のユーザが前記サーバに予め登録したブックマークであることを要旨とする。
【００１９】
請求項１３に記載の発明は、請求項１２に記載の情報提供方法において、前記ブックマークとして、前記ナビゲーション装置のユーザが前記サーバに予め登録したブックマークを用いることを要旨とする。
【００２０】
このような構成もしくは方法によれば、サーバのブックマークは、ナビゲーション装置のユーザが予め登録するものであるため、同ナビゲーション装置を利用するユーザにとっても当該ブックマークをナビゲーション装置で利用する際の利便性が向上する。
【００２１】
請求項５に記載の発明は、請求項３又は４に記載の情報提供システムにおいて、前記サーバには、複数のブックマークが保持されており、前記ナビゲーション装置は、前記複数のブックマークの少なくとも一部を前記サーバから取得して前記画面に表示し、前記変換装置は、その表示されたブックマークのうちからユーザによって選択されたブックマークに基づいて該当する公開情報を参照することを要旨とする。
【００２２】
請求項１４に記載の発明は、請求項１２又は１３に記載の情報提供方法において、前記サーバに、複数のブックマークを保持させ、前記ナビゲーション装置には、前記複数のブックマークの少なくとも一部を前記サーバから取得して前記画面に表示させ、前記表示情報に変換する工程では、その表示されたブックマークのうちからユーザによって選択されたブックマークに基づいて該当する公開情報を参照することを要旨とする。
【００２３】
このような構成もしくは方法によれば、複数のブックマークが扱えることにより利便性が向上するとともに、それら複数のブックマークをナビゲーション装置の画面で選択可能であることから公開情報の位置を画面へ提供表示させることが簡単に行えるようになる。
【００２４】
請求項６に記載の発明は、請求項１〜５のいずれか一項に記載の情報提供システムにおいて、前記識別子は、ＵＲＬ（ユーアールエル）により示されるものであることを要旨とする。
【００２５】
このような構成によれば、通常、インターネット上の公開情報の場所の特定に用いられているＵＲＬ（Ｕｎｉｆｏｒｍ  Ｒｅｓｏｕｒｃｅ  Ｌｏｃａｔｏｒ、ユーアールエル）を識別子として用いることができるようになる。このように、汎用性の高いＵＲＬを識別子として用いることで利便性が向上される。特に、ブックマークを用いることができる場合であれば、ウェブブラウザを介して作成できるブックマークをナビゲーション装置の画面への提供表示に使うことができるようになり、ユーザなどによるブックマークの保存と画面への提供表示が極めて簡単に行えるようになる。
【００２６】
請求項７に記載の発明は、請求項１〜６のいずれか一項に記載の情報提供システムにおいて、前記ネットワークは、インターネットを含んで構成され、前記識別子は、ユーザがインターネット上にて選択した公開情報のネットワーク上の場所を示すものであることを要旨とする。
【００２７】
このような構成によれば、インターネット上の公開情報、いわゆるホームページに対応する位置をナビゲーション装置の画面に提供表示させることができるようになるため、提供表示させることのできる対象が拡大され、利便性が向上する。特に、ナビゲーション装置の地図上に位置を提供表示させたいと思われる対象のホームページには、緯度経度が含まれていることも多く、その場合、ホームページを参照して取得した緯度経度に基づいて表示情報を作成することができるようになる。また、提供表示させたいと思われる対象のホームページに緯度経度が含まれていない場合であれ、通常、ホームページには、地図や、目標物や、郵便番号や、住所や、電話番号など、緯度経度に変換可能な情報が含まれていることが多いことから、多くの場合、ホームページを参照することにより表示情報を作成することができるようになる。
【００２８】
請求項８に記載の発明は、請求項１〜７のいずれか一項に記載の情報提供システムにおいて、前記ナビゲーション装置は、当該ナビゲーション装置に各種サービスを提供するセンタと無線通信可能に接続されており、前記変換装置は前記センタに設けられていることを要旨とする。
【００２９】
このような構成によれば、公開情報から表示情報を作成する処理をセンタが行うこととなり、ナビゲーション装置の処理負荷の軽減が図られる。また、無線通信で行われるセンタとナビゲーション装置間の通信負荷などの軽減も図られるようになる。
【００３０】
請求項９に記載の発明は、請求項１〜８のいずれか一項に記載の情報提供システムにおいて、前記ナビゲーション装置は、前記変換装置から前記位置情報とともに前記公開情報に含まれる情報の少なくとも一部の情報を取得し、前記画面に表示する提供表示に併せ、該取得した公開情報の一部の情報を表示することを要旨とする。
【００３１】
このような構成によれば、画面には提供表示とともに、公開情報の一部の情報が表示されるため、ユーザなどは当該提供表示された位置の詳細な情報を得ることができるようにもなる。これにより、公開情報にかかる位置をナビゲーション装置の画面にて簡単に確認できるようになるとともに、それを目的地に設定するか否かにかかる判断などを支援することができるようにもなる。
【図面の簡単な説明】
【００３２】
【図１】本発明に係る情報提供システムを具体化した一実施形態について、その概略構成を示すブロック図。
【図２】同情報提供システムの動作の概要を模式的に示す模式図。
【図３】同情報提供システムがブックマークを目的地に設定する処理手順を示すフローチャート。
【発明を実施するための形態】
【００３３】
本発明に係る情報提供システムを具体化した一実施形態について、図１に従って説明する。
【００３４】
図１に示すように、情報提供システムは、管理センタ１０に設けられた変換装置としての情報管理装置１３と、自動車などの移動体としての車両２０に搭載されたナビゲーション装置２２とを有する。ナビゲーション装置２２は、情報管理装置１３との間の無線通信が可能になっている。また管理センタ１０には、その外部のインターネットなどの公衆ネットワーク４０がデータ送受を可能に接続されている。
【００３５】
公衆ネットワーク４０は、いわゆるインターネットである。公衆ネットワーク４０には、少なくとも、第１のデータサーバ４１と、第２のデータサーバ４２と、検索サーバ４３と、パーソナルコンピュータなどの端末装置４４と、携帯電話４５とが相互通信可能に接続されている。これら以外にも、公衆ネットワーク４０には、図示しない各種サーバなどが接続されており、これら各種サーバが提供する各種サービス、例えば、住所から緯度経度を検出するサービスや、郵便番号や電話番号から住所を検出するサービスや、アクセス方法から地点を割り出すサービスなどを利用することが可能になっている。
【００３６】
各端末装置４４や携帯電話４５は、例えば、インターネット上に公開された公開情報にアクセスできるブラウザなどを有し、同ブラウザなどを通じて公衆ネットワーク４０を介して第１もしくは第２のデータサーバ４１，４２の公開情報を参照したり、第１もしくは第２のデータサーバ４１，４２に公開情報などを登録したりする機能を有する。すなわち、自宅からであれば端末装置４４により、外出先からであれば携帯電話４５により、インターネット上の公開情報を参照することができる。
【００３７】
第１のデータサーバ４１は、多種多様な公開情報としての１つもしくは複数のホームページ３０を保持し、それら公開情報を外部からの要求に応じて参照させる機能を有している。それらホームページ３０のうち、店舗や施設など、いわゆるＰＯＩ（Ｐｏｉｎｔ  ｏｆ  Ｉｎｔｅｒｅｓｔ）に関するホームページ３０には、通常、集客などのため、それら店舗や施設などの所在地を示す情報、いわゆる位置情報が含まれている。ホームページ３０に含まれている位置情報としては、アクセス方法、住所、郵便番号、電話番号などがあるとともに、地図上に所在地を表示するため、所在地の緯度経度に関する情報が含まれていることも多い。ＰＯＩには、食事施設や、販売施設や、宿泊施設や、観光地（ポイント）や、イベント開催地（ポイント）などが含まれる。
【００３８】
第２のデータサーバ４２は、各ユーザの専有領域や複数ユーザの共有領域などを有し、それら領域に対してデータを保存及び参照可能とする機能を有している。特に、第２のデータサーバ４２には、ブックマーク３１の登録・管理を可能にするサービスであるソーシャルブックマークサービス４２Ａが設けられている。第２のデータサーバ４２は、いわゆるブックマーク集約サイトとして機能する。
【００３９】
ブックマーク３１は、ユーザが再度見たいと思ったホームページ３０の再見を容易にするために、ブラウザやソーシャルブックマークサービス４２Ａなどで提供されるユーザインターフェースの一種であり、任意のホームページ３０に対してユーザの操作により任意に作成することのできるデータである。詳述すると、ブックマーク３１は、インターネット上のホームページ３０の位置が記録された情報であり、そのインターネット上の位置を示す識別子としてのＵＲＬ（Ｕｎｉｆｏｒｍ  Ｒｅｓｏｕｒｃｅ  Ｌｏｃａｔｏｒ、ユーアールエル）を含んでいる。これにより、ブラウザにおいてブックマーク３１を作動させることで、当該ブックマーク３１のＵＲＬに指定されたホームページ３０が直ちに参照できるようになっている。
【００４０】
また、通常、ブックマーク３１には、ＵＲＬで指定されているホームページ３０の店舗や施設の名称など、同ホームページ３０に関する文字情報が含まれており、ユーザなどが、名称によってホームページ３０の内容を識別したり、名称に基づいて検索したりすることなどを可能にしている。なお、ソーシャルブックマークサービス４２Ａにて作成されたブックマーク３１は、ＨＴＭＬ（Ｈｙｐｅｒ  Ｔｅｘｔ  Ｍａｒｋｕｐ  Ｌａｎｇｕａｇｅ、エイチティーエムエル）テキストを含んでいるものとする。例えば、ユーザは、気になる、店舗などの施設や、商品や、人や、待ち合わせなどの場所（スポット）をホームページ３０にて参照したとき、同ホームページ３０のブックマーク３１を登録することで第２のデータサーバ４２に記録させることができる。
【００４１】
ソーシャルブックマークサービス４２Ａは、第２のデータサーバ４２の専有領域や共有領域にユーザが１つもしくは複数のブックマーク３１を登録し、保存することができるとともに、ユーザが共有領域に登録したブックマーク３１を他のユーザと共有したり、一般に公開したりできるようにするサービスである。このため、ソーシャルブックマークサービス４２Ａは、ユーザに、各端末装置４４や携帯電話４５を用いて、ブックマーク３１を登録したり、削除したり、編集したりすることのできる機能を提供する。
【００４２】
検索サーバ４３は、公衆ネットワーク４０を介してアクセス可能な第１のデータサーバ４１などに公開されている各種公開情報から、指定されたキーワードなどに適合する情報を検索する機能を有している。検索サーバ４３は、例えば、住所をキーワードとして緯度経度を検出したり、郵便番号や電話番号をキーワードとして住所を検出したり、アクセス方法などをキーワードとして割り出される地点の緯度経度や住所を検出したりすることとができる。なお、これらの検出は、公衆ネットワーク４０に接続されている各種サーバにより提供されているサービス、例えば、住所から緯度経度を検出するサービスや、郵便番号や電話番号から住所を検出するサービスや、アクセス方法から地点を割り出すサービスなどを利用することにより実現される。
【００４３】
管理センタ１０は、車両２０に対して各種サービスを提供するためのセンタであって、それらサービスを希望するユーザの車両２０に提供する。管理センタ１０には、アクセス権限のあるユーザの車両２０のみがアクセスできるようになっている。すなわち管理センタ１０には、アクセス権限のないユーザの車両からのアクセスや、アクセス権限のないユーザの公衆ネットワーク４０からのアクセスができない。なお本実施形態では、車両２０は管理センタ１０にアクセス可能であるものとする。
【００４４】
管理センタ１０は、公衆ネットワーク４０との間で相互のデータ通信を行うネットワーク通信装置１１と、車両２０との間で無線通信により相互のデータ通信を行う対車両通信装置１２とを有する。これにより情報管理装置１３が、公衆ネットワーク４０とデータ通信できるとともに、車両２０とデータ通信できるようになっている。
【００４５】
ネットワーク通信装置１１は、有線回線もしくは無線回線により公衆ネットワーク４０に接続されており、公衆ネットワーク４０に接続されている第１及び第２のデータサーバ４１，４２や、検索サーバ４３などと管理センタ１０との間のデータ通信を可能にする。
【００４６】
対車両通信装置１２は、管理センタ１０と車両２０との間で、各種のデータ通信を可能とする。このデータ通信により、管理センタ１０は、車両２０から送信される処理要求などを受信するとともに、車両２０には処理要求などに応じたデータを送信する。
【００４７】
情報管理装置１３は、ナビゲーション装置２２からの要求に応じて、当該要求に対応する情報等を提供する。つまり情報管理装置１３は、ナビゲーション装置２２から、例えば公衆ネットワーク４０の第２のデータサーバ４２に登録されているブックマーク３１の取得を要求されると、当該要求に基づいて第２のデータサーバ４２から必要とされるブックマーク３１を取得する。そして、情報管理装置１３は、当該取得したブックマーク３１をナビゲーション装置２２での取り扱いが可能な情報に変換して同ナビゲーション装置２２に配信する。
【００４８】
また、情報管理装置１３は、ナビゲーション装置２２から指示されたブックマーク３１の指定するホームページ３０から位置情報を取得する。そして、情報管理装置１３は、取得した位置情報をナビゲーション装置２２の座標系に変換して、ナビゲーション装置２２に配信する。このとき、取得された位置情報が緯度経度の情報であれば、当該緯度経度の情報をナビゲーション装置２２の座標系である表示情報に変換する。また、取得された位置情報が、アクセス方法、住所、郵便番号、電話番号などである場合、検索サーバ４３のサービスなどを利用して、それらの位置情報から緯度経度を取得して、その取得された緯度経度を表示情報に変換する。一方、ブックマーク３１の指定するホームページ３０から位置情報が取得できない場合、情報管理装置１３は、その旨をナビゲーション装置２２に送信する、もしくは、応答を返さないようにしてもよい。なお、緯度経度から表示情報への変換は、いわゆる座標系の変換であり、ナビゲーション装置２２に表示される地図の座標系の仕様などに基づいて定められた変換公式を用いる演算処理により行われる。
【００４９】
詳述すると、情報管理装置１３には、マイクロコンピュータを中心に構成される演算装置（図示略）が設けられている。すなわちマイクロコンピュータには、演算装置、記憶装置、不揮発性メモリ（ＲＯＭ）、揮発性メモリ（ＲＡＭ）などが設けられており、同記憶装置や各メモリに格納されている各種データ及びプログラムに基づく各種情報処理がマイクロコンピュータにより実行される。本実施形態では、情報管理装置１３には、車両２０との間のデータ通信を制御する通信制御部１４と、ナビゲーション装置２２の画面に表示させるブックマーク３１のリストを生成するリスト情報作成部１５と、指定されたブックマーク３１の位置情報から表示情報を生成するＰＯＩ情報作成部１６とが設けられている。すなわち、情報管理装置１３には、通信制御部１４や、リスト情報作成部１５や、ＰＯＩ情報作成部１６として実行されるプログラムやパラメータが保持されており、それらプログラムやパラメータの演算処理に基づいて通信制御部１４や、リスト情報作成部１５や、ＰＯＩ情報作成部１６の各種機能が実現されるようになっている。
【００５０】
通信制御部１４は、車両２０との通信に応じて必要となる処理を判断するとともに、情報管理装置１３にて必要な処理が行われるように調整する。
【００５１】
リスト情報作成部１５は、ナビゲーション装置２２からのブックマーク３１の要求に応じて、第２のデータサーバ４２のソーシャルブックマークサービス４２Ａを利用して、対象とするブックマーク３１を取得する。なおこのとき、ソーシャルブックマークサービス４２Ａの利用に必要とされる情報、例えば、ユーザＩＤや、パスワードなども必要に応じてナビゲーション装置２２から送られてくる。また、リスト情報作成部１５は、取得したブックマーク３１のＨＴＭＬテキストを解析し、それら取得したブックマーク３１をナビゲーション装置２２にて表示可能なリスト情報に構成してナビゲーション装置２２に送信する。なお、リスト情報には、ブックマーク３１の名称や、対応するブックマーク３１のＨＴＭＬテキストなどが、ブックマーク３１に関する表示に関連付けられるようにして含まれている。
【００５２】
ＰＯＩ情報作成部１６は、車両２０から指示されたブックマーク３１に基づき、当該ブックマーク３１の指定するホームページ３０を参照するとともに、当該参照したホームページ３０から位置情報を取得する。すなわち、ＰＯＩ情報作成部１６は、参照したホームページ３０に含まれる情報、例えばブラウザに表示されるテキスト情報や、ソースコードに含まれるタグ情報やリンク情報などに基づいて、当該ホームページ３０の所在地の情報、いわゆるＰＯＩの位置情報を取得する。なお、ホームページ３０から位置情報を取得する際、優先度の高い位置情報を優先して取得するようになっており、例えば、優先度は高い順に、緯度経度、住所、郵便番号、電話番号、アクセス方法の順に設定されているが、優先度の設定順序はこれに限られない。
【００５３】
また、ＰＯＩ情報作成部１６には、緯度経度を表示情報へ変換する変換公式が設定されている。これにより、ＰＯＩ情報作成部１６は、取得した緯度経度を変換公式に基づいて表示情報に変換する演算処理を行うとともに、変換した表示情報を車両２０に送信すべき情報として通信制御部１４に伝達する。さらに、ＰＯＩ情報作成部１６は、位置情報の取得に利用したブックマーク３１に付与されている名称を、表示情報とともに車両２０に送信するようにする。なお、ブックマーク３１に名称が付されていないような場合、位置情報を取得したホームページ３０から適切な名称などを取得するようにしてもよい。
【００５４】
車両２０は、自動車などからなり、管理センタ１０に無線通信するための車載通信装置２１と、車載通信装置２１にデータ通信可能に接続される上述のナビゲーション装置２２とを有する。
【００５５】
車載通信装置２１は、管理センタ１０とナビゲーション装置２２との間の無線通信を可能にするための車載無線通信装置である。車載通信装置２１と管理センタ１０の無線通信は、直接通信であってもよいし、携帯電話網や無線ＬＡＮなどを利用した周知の通信方法でもよい。車載通信装置２１は、ナビゲーション装置２２から出力された管理センタ１０向けの処理要求などを同管理センタ１０に向けて送信する。よってナビゲーション装置２２は管理センタ１０に、リスト情報の要求や、選択されたブックマーク３１に対する表示情報の要求などを行う。また、車載通信装置２１は、管理センタ１０から車両２０に提供すべく送信された各種情報を受信してナビゲーション装置２２に伝達する。よってナビゲーション装置２２は、管理センタ１０のリスト情報作成部１５により作成されたリスト情報や、管理センタ１０のＰＯＩ情報作成部１６により作成されたＰＯＩの位置情報を無線通信にて取得することができる。
【００５６】
ナビゲーション装置２２は、図示しない全地球測位システム（ＧＰＳ：Ｇｌｏｂａｌ  Ｐｏｓｉｔｉｏｎｉｎｇ  Ｓｙｓｔｅｍ）等を利用することによって、車両２０の現在位置を検出することができるとともに、地図などの画像を表示する画面を含む表示装置２３を備える。そしてナビゲーション装置２２は、検出した車両２０の現在位置に基づいて、メモリに記憶されている地図情報を参照することにより、走行目的地まで車両２０の走行経路案内を運転者等に提供する。具体的には、走行経路案内を、表示装置２３への地図表示などの画像表示や図示しないスピーカからの音声案内により提供する。
【００５７】
表示装置２３による画像表示機能は、ナビゲーション装置２２によって制御されており、表示装置２３は、ナビゲーション装置２２による表示制御の下で、ナビゲーション装置２２から伝達された地図情報を表示したり、文字情報や画像情報を表示したりする。ナビゲーション装置２２は、経路案内等に適した表示用の座標系を表示装置２３に設定しており、表示装置２３には当該表示用の座標系に基づいて経路案内用などの地図が表示されるようになっている。すなわち、地図上に付加的に表示される提供表示などの画像についても、地図と同様の座標系にて表示を制御することで、表示装置２３に地図とともに表示されるようになる。また、ナビゲーション装置２２は、ナビゲーション機能をユーザに提供するための各種の操作スイッチや、目的地選択などに用いられる文字入力機能や、表示装置２３に表示した選択肢を選択するカーソルを移動させる機能や、表示装置２３に設けられたタッチパネルなど、ユーザによる操作が入力される入力機能を有する。ユーザからのリスト情報の要求などの操作も、これら入力機能を介して行われる。
【００５８】
ナビゲーション装置２２には、マイクロコンピュータを中心に構成される演算装置（図示略）が設けられている。すなわちマイクロコンピュータには、演算装置、記憶装置、不揮発性メモリ（ＲＯＭ）、揮発性メモリ（ＲＡＭ）などが設けられており、同記憶装置や各メモリに格納されている各種データ及びプログラムに基づく各種情報処理がマイクロコンピュータにより実行される。すなわち、ナビゲーション装置２２には、現在位置検出用プログラムや、経路案内用のプログラムや、表示装置２３の表示制御用のプログラムが用意されており、これらプログラムが実行され、各機能が提供されるようになっている。
【００５９】
本実施形態では、ナビゲーション装置２２には、リスト情報処理部２２Ａと、ＰＯＩ情報処理部２２Ｂとが設けられている。
【００６０】
リスト情報処理部２２Ａは、リスト情報の要求に対応して、管理センタ１０から取得したリスト情報に基づいて、表示装置２３に１つもしくは複数のブックマーク３１に関する表示を表示するとともに、それらブックマーク３１に関連付けられている名称なども表示する。また、表示装置２３に表示した１つもしくは複数のブックマーク３１に関する表示からユーザによりＰＯＩとして選択された１つもしくは複数のブックマーク３１を抽出することができる。これにより、リスト情報処理部２２Ａは、表示装置２３にて選択されたそれぞれのブックマーク３１に関する表示に関連付けられたブックマーク３１のＨＴＭＬテキストを特定するとともに、これら特定したブックマーク３１のＨＴＭＬテキストを、地図上に表示させたいＰＯＩの表示情報の要求として管理センタに送信する。
【００６１】
ＰＯＩ情報処理部２２Ｂは、管理センタ１０から得たＰＯＩの位置情報に基づく同ＰＯＩの提供表示を、表示装置２３に表示される地図上に表示するとともに、当該提供表示したＰＯＩに対する操作、例えば、目的地設定操作などをすることができるようにする。目的地設定操作では、提供表示されたＰＯＩの選択に対応して当該ＰＯＩを目的地に設定するかどうかの問い合わせや、目的地として設定したＰＯＩを走行経路を案内する機能に目的地として設定させたりすることができる。これにより、ブックマーク３１に基づいて提供表示されるＰＯＩをナビゲーション装置２２に目的地として設定することができるようになる。
【００６２】
次に、本実施形態の情報提供システムの作用について、図２及び図３を参照して説明する。なお、図２ではナビゲーション装置２２の表示装置２３に表示される２つの画像をそれぞれ示すため、便宜上、ナビゲーション装置２２に２つの表示装置２３を示した。
【００６３】
図２に示すように、ユーザの端末装置４４や携帯電話４５から、公衆ネットワーク４０を介して、第１のデータサーバ４１のホームページ３０を参照することができる。そして、ユーザは、参照したホームページ３０のなかに、訪問したいと思う店舗や施設、いわゆるＰＯＩのホームページ３０が見つかった際、そのホームページ３０のブックマーク３１を第２のデータサーバ４２に保存することができる。すなわちユーザは、このようなブックマーク３１の保存を、車両２０を運転していないときに行えるため、保存等の操作が、気軽に行えたり、見つけたとき直ちに行えたりするようになる。また、ソーシャルブックマークサービス４２Ａには、他人が登録したブックマーク３１も保存されているため、そのようなブックマーク３１の中から訪問したいと思うＰＯＩを選択することもできる。このように、公衆ネットワーク４０を利用して、第２のデータサーバ４２に１つもしくは複数のＰＯＩのホームページ３０のブックマーク３１が保存される。
【００６４】
そして、このように第２のデータサーバ４２に保存された１つもしくは複数のＰＯＩのホームページのブックマーク３１の位置（所在地）をナビゲーション装置２２の地図上に簡単な操作で提供表示することができる。
【００６５】
すなわち、ユーザによるナビゲーション装置２２の操作によるリスト情報の要求に基づいて、ナビゲーション装置２２は、第２のデータサーバ４２に保存されているＰＯＩのブックマーク３１を取得する（図３のステップＳ１０）。ナビゲーション装置２２は、ブックマークの取得要求（リスト情報の要求）の際、ブックマークの保存されている第２のデータサーバ４２のアドレス（例えばＵＲＬ）を送信し、同第２のデータサーバ４２に公開されているブックマークを取得できるようにする。公開されているブックマークには、他人が登録したブックマークが含まれる。また、必要に応じてユーザＩＤや、パスワードを送信することで、ユーザ専用の領域やユーザのアクセス権のある領域のブックマークを取得することができる。なお、ユーザＩＤやパスワードは、ナビゲーション装置２２からユーザが入力するが、ナビゲーション装置２２に予め設定しておいたものでもよい。ブックマークの取得要求を受信した管理センタ１０は、当該取得要求に基づいて第２のデータサーバ４２からブックマーク３１を取得するとともに、リスト情報を作成してナビゲーション装置２２に送信する。
【００６６】
これにより、ナビゲーション装置２２は、ＨＴＭＬテキストからなるブックマーク３１を含むリスト情報を取得するとともに、同リスト情報に基づいて、ナビゲーション装置２２の表示装置２３にブックマーク３１を示す表示２３Ａを一覧表示する（図３のステップＳ１１）。なお、一覧表示には、ブックマーク３１に関連付けられている名称なども表示される。
【００６７】
ナビゲーション装置２２では、ユーザの操作に基づいて、表示装置２３に一覧表示されたブックマーク３１に関する表示２３Ａのなかから目的地に設定したいブックマーク３１に関する表示２３Ａの選択と、設定ボタン２３Ｂによる設定操作が行われる（図３のステップＳ１２）。ナビゲーション装置２２におけるブックマーク３１に関する表示２３Ａの選択は、例えば、タッチパネルの操作もしくは、ボタン操作により一覧表示されたなかから１つのブックマーク３１に関する表示２３Ａを選択するとともに、同選択状態を維持しつつ設定ボタン２３Ｂの押下操作により行われる。そして、ナビゲーション装置２２は、設定ボタン２３Ｂの操作に基づいて、選択されたブックマーク３１（ＨＴＭＬテキスト）を管理センタ１０に送信する。
【００６８】
管理センタ１０は、受信したブックマーク３１に基づいてアクセスしたホームページ３０から位置情報を取得するとともに、同取得した位置情報を表示情報に変換する（図３のステップＳ１３）。変換された位置情報は、管理センタ１０からナビゲーション装置２２に送信される。
【００６９】
表示情報を受信したナビゲーション装置２２は、その表示装置２３に地図２３Ｍを表示するとともに、表示した地図２３Ｍ上の位置であって、表示情報が指示する位置にマーク２３Ｐなどを提供表示する（図３のステップＳ１４）。これにより、ナビゲーション装置２２にて選択されたブックマーク３１の位置（所在地）が、ナビゲーション装置２２の表示装置２３にマーク２３Ｐとして提供表示されるようになる。
【００７０】
そして、ユーザが表示装置２３のマーク２３Ｐを選択して目的地設定の操作を行うことにより、当該マーク２３Ｐがナビゲーション装置２２の経路案内の目的地として設定される（図３のステップＳ１５）。これにより、マーク２３Ｐを目的地とする運転支援がナビゲーション装置２２より行われるようになる。
【００７１】
以上説明したように、本実施形態に係る情報提供システムは、以下に列記する効果を有する。
【００７２】
（１）ナビゲーション装置２２の表示装置２３に、ナビゲーション装置２２の座標系に変換されたネットワーク上のホームページ３０に対応する位置が提供表示されるようになる。このとき、ＰＯＩ情報作成部１６が識別子（ＵＲＬ）により特定されるホームページ３０を参照して、当該ホームページ３０に対応する位置情報（所在地）を取得するとともに、この取得した位置情報をナビゲーション装置２２の表示装置２３に表示可能な表示情報に変換する。このため、ネットワーク上に公開されているホームページ３０や識別子（ＵＲＬ）などをそのまま利用可能である。これにより、ネットワーク上のホームページ３０の位置を対象とする場合であれ、当該ホームページ３０の位置をナビゲーション装置２２に表示させることが簡単にできる。また、このようにしてナビゲーション装置２２の表示装置２３に提供表示された位置を、同ナビゲーション装置２２の目的地の設定などに用いるようにすれば、施設名や住所などの入力操作をしなくとも目的地設定ができることとなり、目的地設定も容易にもなる。
【００７３】
（２）通常、ブックマーク３１には識別子（ＵＲＬ）とともに文字情報などが含まれている。このため、このような構成によれば、当該識別子（ＵＲＬ）をブックマーク３１に含まれる文字情報などにより管理することができるようになる。そして、文字情報はユーザによる識別や検索を可能にすることから、ブックマーク３１の利用により、識別子（ＵＲＬ）に基づくナビゲーション装置２２への提供表示の利便性がより高められるようになる。
【００７４】
（３）ブックマーク３１がネットワーク上の第２のデータサーバ４２に保持されていることから、ブックマーク３１の管理に、情報管理装置１３やナビゲーション装置２２の動作状態などは影響しない。すなわち、ブックマーク３１の管理の自由度が高められ、ブックマーク３１を利用する情報提供システムとしての利便性が向上される。具体的には、ユーザは自由に、第２のデータサーバ４２に対するブックマーク３１の登録、削除、もしくは修正などの管理を行うことができるため、第２のデータサーバ４２に保持させたブックマーク３１の利便性を向上させることができるとともに、そのように管理されたブックマーク３１を用いる情報提供システムとしての利便性も向上するようになる。
【００７５】
（４）第２のデータサーバ４２のブックマーク３１は、ナビゲーション装置２２のユーザが予め登録したものであるため、同ナビゲーション装置２２を利用するユーザにとっても当該ブックマーク３１をナビゲーション装置２２で利用する際の利便性が向上する。
【００７６】
（５）複数のブックマーク３１が扱えることから利便性が向上するとともに、それら複数のブックマーク３１をナビゲーション装置２２の表示装置２３で選択可能であることからホームページ３０の位置を表示装置２３へ提供表示させることが簡単に行えるようになる。
【００７７】
（６）通常、インターネット上のホームページ３０の場所の特定に用いられているＵＲＬを識別子として用いる。このように、汎用性の高いＵＲＬを識別子として用いることで利便性が向上される。特に、ブックマーク３１を用いることができる場合であれば、ウェブブラウザを利用して作成できるブックマーク３１をナビゲーション装置２２の表示装置２３への提供表示に使うことができるようになり、ユーザなどによるブックマーク３１の保存と画面への提供表示が極めて簡単に行えるようになる。
【００７８】
（７）インターネット上の公開情報、いわゆるホームページ３０に対応する位置をナビゲーション装置２２の表示装置２３に提供表示させることができるようになるため、提供表示させることのできる対象が拡大され、利便性が向上する。特に、ナビゲーション装置２２の地図上に位置を提供表示させたいと思われる対象のホームページ３０には、緯度経度が含まれていることも多く、その場合、ホームページ３０を参照して取得した緯度経度に基づいて表示情報を作成することができるようになる。また、提供表示させたいと思われる対象のホームページ３０に緯度経度が含まれていない場合であれ、通常、ホームページに３０は、地図や、目標物や、郵便番号や、住所や、電話番号など、緯度経度に変換可能な情報が含まれていることが多いことから、多くの場合、ホームページ３０を参照することにより表示情報を作成することができるようになる。
【００７９】
（８）ホームページ３０から表示情報を作成する処理を管理センタ１０が行うため、ナビゲーション装置２２の処理負荷の軽減が図られる。また、無線通信で行われる管理センタ１０とナビゲーション装置２２間の通信負荷などの軽減も図られるようになる。
【００８０】
（９）表示装置２３には提供表示とともに、ホームページ３０の一部の情報として、当該ホームページ３０の名称が表示されるため、ユーザなどは当該提供表示された位置の詳細な情報を得ることができるようにもなる。これにより、ホームページ３０にかかる位置をナビゲーション装置２２の表示装置２３にて簡単に確認できるようになるとともに、それを目的地に設定するか否かにかかる判断などを支援することができるようにもなる。
【００８１】
（その他の実施形態）
なお上記実施形態は、以下の態様で実施することもできる。
【００８２】
・上記実施形態では、一台の車両２０と、一つの管理センタ１０とから構成される場合について例示した。しかしこれに限らず、一つの管理センタに対して複数台の車両が通信するようにしてもよい。これにより、情報提供システムの多数の車両、すなわちユーザの利用が容易になり、同システムの利用価値が向上するようになる。
【００８３】
・上記実施形態では、公衆ネットワーク４０には、第１のデータサーバ４１や第２のデータサーバ４２がそれぞれ一台ずつ接続されている場合について例示したが、これに限らず、公衆ネットワークには複数台の第１のデータサーバや第２のデータサーバが接続されていてもよいし、それ以外のサーバが接続されていてもよい。複数のサーバが接続されていれば、それだけ多くのサービスを利用できるようにもなる。
【００８４】
・上記実施形態では、公衆ネットワーク４０がインターネットである場合について例示したが、これに限らず、情報提供システムが接続されるネットワークは、定められたユーザだけが利用できるネットワークであってもよい。これにより、情報管理性などを向上させたシステムを構築することができるようにもなる。
【００８５】
・上記実施形態では、位置情報をホームページ３０から取得する場合について例示した。しかしこれに限らず、位置情報は、ホームページ以外であれ、ネットワーク上に公開されている各種の情報、例えば、ファイルとして公開されている情報等から取得してもよい。これにより、位置情報の取得可能性が高められ、情報提供システムの利便性が高められるようになる。
【００８６】
・上記実施形態では、ＰＯＩ情報作成部１６は表示情報とともにブックマーク３１の名称をナビゲーション装置２２に伝達する場合について例示した。しかしこれに限らず、ＰＯＩ情報作成部は、取得したホームページに含まれる情報、例えば、住所、電話番号、営業時間、料金、施設の説明などの情報の少なくとも一部を追加情報として、ナビゲーション装置にさらに伝達するようにしてもよい。これにより、表示装置に表示された提供表示を選択することにより、ナビゲーション装置でも追加情報を参照できるようにすることができるようになる。このように追加情報の参照も可能にすることで、ナビゲーション装置における目的地設定にかかる判断を好適に行うことができるようにすることができる。
【００８７】
・上記実施形態では、取得したブックマーク３１からリスト情報作成部１５を作成する場合について例示した。このとき、リスト情報の作成に用いるブックマークを絞り込むようにしてもよい。例えば、ナビゲーション装置から名称の全部もしくは一部文字列を設定することによって、設定された文字列に適合する名称を有するブックマークのみからなるリスト情報を作成することができる。なお、この絞り込みは、ブックマークの取得時に行い、取得するブックマークを絞り込まれたものとしてもよいし、リスト作成時に行い、リストに含まれているブックマークが絞り込まれたものとなるようにしてもよい。これにより、ナビゲーション装置におけるブックマークの選択作業を好適に行うことができるようになる。
【００８８】
・上記実施形態では、リスト情報作成部１５により作成したリスト情報にはブックマーク３１のＨＴＭＬテキストが含まれる場合について例示した。しかしこれに限らず、リスト情報にＨＴＭＬテキストが含まれなくてもよい。この場合、管理センタでは、リスト情報から選択されたブックマークを特定する情報を受けたＰＯＩ情報作成部が、当該特定情報をリスト情報作成部に付与し、リスト情報作成部は付与された当該特定情報に関連付けられているブックマークのＨＴＭＬテキストを検索し、取得してＰＯＩ情報作成部に返信するようにすればよい。これにより、管理センタや車両におけるブックマークの処理に関して、設計自由度が高められるようになる。
【００８９】
・上記実施形態では、ブックマーク３１にＨＴＭＬテキストが含まれている場合について例示した。しかしこれに限らず、ブックマークに含まれているデータの書式については、ＨＴＭＬテキストに限られず、その他の書式で記載されていてもよい。この場合、情報管理装置において、その他の書式を解析可能にするようにすればよい。これにより、情報提供システムの設計自由度が向上するようになる。
【００９０】
・上記実施形態では、情報管理装置１３のリスト情報作成部１５が、ナビゲーション装置２２の画面に表示させるブックマーク３１のリスト情報を生成する場合について例示した。しかしこれに限らず、情報管理装置は取得したブックマークをそのままナビゲーション装置に送信するようにしてもよい。この場合、ナビゲーション装置のリスト情報処理部は、当該ブックマークを解析して、ナビゲーション装置の表示装置へ表示させるようにすればよい。
【００９１】
・上記実施形態では、管理センタ１０は施設であるような場合について例示したが、しかしこれに限らず、管理センタは、車両と通信可能なコンピュータであれば、パーソナルコンピュータのような小型コンピュータであってもよい。これにより、この車両データ取得システムとしての利用可能性の拡大が図られる。
【００９２】
・上記実施形態では、情報管理装置１３が管理センタ１０に設けられ、ナビゲーション装置２２が車両２０に設けられている場合について例示した。しかしこれに限らず、車両にナビゲーション装置と、情報管理装置とが設けられていてもよい。これにより、車両単体で情報管理装置を含む構成にすることができるようになる。なおこの場合、車両は管理センタを介さず公衆ネットワークに接続するようにしてもよい。
【００９３】
・さらに、ナビゲーション装置に情報管理装置を設けてもよい。これによれば、ナビゲーション装置単体で情報管理装置を含む構成にすることができるようになる。なおこの場合、ナビゲーション装置は管理センタを介さず公衆ネットワークに接続するようにしてもよい。
【符号の説明】
【００９４】
１０…管理センタ、１１…ネットワーク通信装置、１２…対車両通信装置、１３…情報管理装置、１４…通信制御部、１５…リスト情報作成部、１６…ＰＯＩ情報作成部、２０…車両、２１…車載通信装置、２２…ナビゲーション装置、２２Ａ…リスト情報処理部、２２Ｂ…ＰＯＩ情報処理部、２３…表示装置、２３Ａ…表示、２３Ｂ…設定ボタン、２３Ｍ…地図、２３Ｐ…マーク、３０…ホームページ、３１…ブックマーク、４０…公衆ネットワーク、４１…第１のデータサーバ、４２…第２のデータサーバ、４２Ａ…ソーシャルブックマークサービス、４３…検索サーバ、４４…端末装置、４５…携帯電話。
【図１】
2012220306.tif 000003
【図２】
2012220306.tif 000004
【図３】
2012220306.tif 000005